(57)【要約】【課題】１．排水栓係止部と、槽体排水口周縁の間に水残りを発生させない。２．排水栓にケミカルクラックによる割れを発生させない。３．排水栓の係止部周囲の汚れや意匠性を高める。【解決手段】底部に排水口２を開口した槽体１と、排水口周縁２１に係止する係止部３１を備え、且つ係止部３１から垂下して構成される筒状体３２から成る排水栓３と、排水栓３から排出される排水を最終的には下水管へと排水するための排水部材４と、から構成される排水栓の水抜き構造において、前記係止部３１を槽体１の排水口周縁２１上方に係止させ、槽体１裏面から排水部材４に排水栓３の筒状体３２を挿入し、排水栓３の係止部３１と排水部材４の間に槽体１の排水口周縁２１を介在させることによって排水栓３を槽体１に取付けた上で、前記排水栓３の外表面と排水口周縁２１の間に、係止部３１裏面の水を排水部材４へと排水する水抜き構造５を備えた。【選択図】図１
2015113556.tif 000002
【特許請求の範囲】
【請求項１】
底部に排水口２を開口した槽体１と、
排水口周縁２１に係止する係止部３１を備え、且つ係止部３１から垂下して構成される筒状体３２から成る排水栓３と、
排水栓３から排出される排水を最終的には下水管へと排水するための排水部材４と、
から構成される排水栓の水抜き構造において、
前記係止部３１を槽体１の排水口周縁２１上方に係止させ、槽体１裏面から排水部材４に排水栓３の筒状体３２を挿入し、排水栓３の係止部３１と排水部材４の間に槽体１の排水口周縁２１を介在させることによって排水栓３を槽体１に取付けた上で、
前記排水栓３の外表面と排水口周縁２１の間に、係止部３１裏面の水を排水部材４へと排水する水抜き構造５を備えたことを特徴とする排水栓の水抜き構造。
【請求項２】
前記水抜き構造５を、排水栓３又は槽体１の排水口２とは別部材のアダプター５３によって構成したことを特徴とする前記請求項１に記載の排水栓の水抜き構造。
【請求項３】
前記水抜き構造５は、排水栓３の外表面と排水口周縁２１の間に構成した凸部５１から構成したことを特徴とする前記請求項１又は請求項２に記載の排水栓の水抜き構造。
【請求項４】
前記水抜き構造５は、排水栓３の外表面と排水口周縁２１の間に構成した凹部５２から構成したことを特徴とする前記請求項１又は請求項２に記載の排水栓の水抜き構造。
【請求項５】
前記水抜き構造５は、係止部３１の側面又は裏面から、筒状体３２の任意の箇所まで連続して構成されることを特徴とする前記請求項１乃至請求項４のいずれか一つに記載の排水栓の水抜き構造。
【請求項６】
前記水抜き構造５を、排水栓３の上下方向に向けて構成される筋状としたことを特徴とする前記請求項５に記載の排水栓の水抜き構造。
【請求項７】
前記水抜き構造５は、排水栓３の筒状体３２に通水孔５４を開口し、係止部３１裏面の水を当該通水孔５４から排水栓３内部に通水させて排水部材４へと排水することを特徴とする前記請求項１に記載の排水栓の水抜き構造。
【請求項８】
前記水抜き構造５は、槽体１の排水口周縁２１に通水孔５４を開口し、係止部３１裏面の水を当該通水孔５４から直接的に槽体１裏の排水部材４へと排水させることを特徴とする前記請求項１に記載の排水栓の水抜き構造。
【請求項９】
前記係止部３１は、筒状体３２の上端から外側方向へ向かって鍔状に突出して構成したことを特徴とする前記請求項１乃至請求項８のいずれか一つに記載の排水栓の水抜き構造。
【発明の詳細な説明】
【技術分野】
【０００１】
本発明は、浴槽や流し台、洗面台や各種槽体の排水口に取り付けられ、その下端は排水部材に接続される排水栓の水抜き構造に関するものである。
【背景技術】
【０００２】
従来よく知られた排水栓の構造は、例えば図１９に示した物がある。本従来例の排水栓の構造は、洗面台に用いられる排水栓の構造である。
本従来例の排水栓の構造は、槽体と、排水栓と、排水部材としてのオーバーフロー配管・止水部材・止水用三角パッキン・固定部材・配管部材・排水トラップ（図示せず）と、から構成されている。
槽体は、洗面所の陶器製の洗面ボウルであり、底部には排水用の排水口が槽体の底面から一段落ちくぼんだ形で開口されている。この排水口の周縁には後述する排水栓の係止部が係止される。また、当該従来例の洗面ボウルは、ボウルに貯水した水が溢れないようにオーバーフロー用の開口を槽体側面に開口し、オーバーフローした排水を後述する配管部材へと排水するためのオーバーフロー配管を洗面ボウルに一体的に構成している。また、このオーバーフロー配管は、排水部材として機能する。
排水栓は、前記槽体の排水口周縁に係止する係止部を備え、且つ係止部から垂下して構成される筒状体から成る。係止部は、筒状体上端から側面方向に向かって飛び出す鍔状体であって、当該係止部の裏面には後述する止水部材を介した上で、係止部は槽体の排水口周縁に係止される。また、筒状体の側面にはオーバーフロー用の開口窓が構成されており、この開口窓から槽体のオーバーフロー配管からの流路を排水栓内へと合流させることができる。また、当該開口窓は、槽体のオーバーフロー配管部分に配置される。筒状体下端には、後述する固定部材の雌ねじと螺合する雄ねじが螺設されている。
止水部材は、排水部材の一部であって、排水栓の係止部の裏面と槽体の排水口周縁の上に配置されるリング状のパッキンである。また槽体上の排水が排水栓の係止部裏面から槽体下面に漏れ出さないように止水している。
止水用三角パッキンは、排水部材の一部であって、断面視三角形状をしたリング状のパッキンであり、後述する固定部材によって押し上げられて、頂点部分が洗面ボウル下面に当接し、止水用三角パッキンの側面の傾斜面に当接して内方に倒れ縮径することで洗面ボウル下面及び排水栓の筒状体外周を止水する。
固定部材は、排水部材の一部であって、内周に雌ねじを螺設した板ナットである。固定部材上部には止水用三角パッキンを配置する。固定部材の内周の雌ねじは、前記排水栓の筒状体下端の雄ねじと螺合し、両者を螺合させると、固定部材の上方に配置された止水用三角パッキンが押し上げられ、上述のように洗面ボウルと排水栓の止水を行う。
配管部材は、排水栓の筒状体下端に接続される排水管であって、その下端には図示しないが排水トラップが接続される。排水トラップは周知のとおり、内部に封水を貯水することで、下水からの臭気や害虫を室内側へと逆流させないようにする部材である。尚、排水部材内に流入した排水は、排水トラップを介して最終的には下水管へと排水される。
また、排水部材は、前述した、オーバーフロー配管・止水部材・止水用三角パッキン・固定部材・配管部材・排水トラップ（図示せず）を指す。（特許文献１）
【０００３】
また、そのほかの従来よく知られた排水栓の構造は、例えば図２０に示した物がある。本従来例の排水栓の構造は、洗面台に用いられる排水栓の構造である。
本従来例の排水栓の構造は、槽体と、排水栓と、止水部材と、排水部材としての止水用Ｕパッキン・オーバーフローアダプター部材・止水用三角パッキン・固定部材・配管部材・排水トラップ（図示せず）と、から構成されている。
槽体は、洗面所の琺瑯製の洗面ボウルであり、底部には排水用の排水口が槽体の底面から一段落ちくぼんだ形で開口されている。この排水口の周縁には後述する排水栓の係止部が係止される。また、当該従来例の洗面ボウルは、ボウルに貯水した水が溢れないようにオーバーフロー用の開口を槽体側面に開口し、オーバーフローした排水を後述する排水部材へと排水するためのオーバーフロー配管を洗面ボウルとは別体で構成している。
排水栓は、前記槽体の排水口周縁に係止する係止部を備え、且つ係止部から垂下して構成される筒状体から成る。係止部は、筒状体上端から側面方向に向かって飛び出す鍔状体であって、当該係止部の裏面には後述する止水部材を介した上で、係止部は槽体の排水口周縁に係止される。また、筒状体の側面にはオーバーフロー用の開口窓が構成されており、この開口窓から槽体のオーバーフロー配管からの流路を排水部材内へと合流させることができる。また、当該開口窓は、後述するオーバーフローアダプター部材中に配置される。筒状体下端には、後述する固定部材の雌ねじと螺合する雄ねじが螺設されている。
止水部材は、排水栓の係止部の裏面と槽体の排水口周縁の上に配置されるリング状のパッキンであって、槽体上の排水が排水栓の係止部裏面から槽体下面に漏れ出さないように止水している。
止水用Ｕパッキンは、排水部材であって、後述するオーバーフローアダプター部材の上部と、槽体排水口周縁の裏面（下面）の間に配される断面視Ｕ字状のパッキンである。（尚、本従来例ではＵパッキンを用いているが、その他の形状のパッキンでも構わない。）当該止水用Ｕパッキンにより、排水栓の下面側からの排水が槽体裏面へと漏れ出すことを防止する。
オーバーフローアダプター部材は、排水部材であって、円筒状の部材であり、側面にオーバーフロー配管の流入口を構成するとともにオーバーフロー配管に接続される。このオーバーフローアダプター部材は、槽体裏面の排水口直下に構成され、内部に排水栓が排水口に係止された状態で配され、排水栓下端から後述する固定部材と止水用三角パッキンによって、上部は止水用Ｕパッキン、下方は止水用三角パッキンにて止水されつつ洗面ボウルに押し当てられ取り付けられる。オーバーフロー配管からの排水は、当該オーバーフローアダプター部材内に流入し、排水栓の開口窓から排水部材内部へと合流することができる。
止水用三角パッキンは、排水部材であって、断面視三角形状をしたリング状のパッキンである。また後述する固定部材によって押し上げられて、頂点部分がオーバーフローアダプター部材下面に当接し、止水用三角パッキンの側面の傾斜面に当接して内方に倒れ縮径することでオーバーフローアダプター部材下面及び排水栓の筒状体外周を止水する。
固定部材は、排水部材であって、内周に雌ねじを螺設した板ナットである。固定部材上部には止水用三角パッキンを配置する。固定部材の内周の雌ねじは、前記排水栓の筒状体下端の雄ねじと螺合し、両者を螺合させると、固定部材の上方に配置された止水用三角パッキンが押し上げられ、上述のようにオーバーフローアダプター部材と排水栓の止水を行う。
配管部材は、排水部材であって、排水栓の筒状体下端に接続される排水管である。配管部材下端には図示しないが排水部材としての排水トラップが接続される。排水トラップは周知のとおり、内部に封水を貯水することで、下水からの臭気や害虫を室内側へと逆流させないようにする部材である。尚、排水部材内に流入した排水は、排水トラップを介して最終的には下水管へと排水される。
また、排水部材は、前述した、止水用Ｕパッキン・オーバーフローアダプター部材・止水用三角パッキン・固定部材・配管部材・排水トラップ（図示せず）を指す。（特許文献２）
【０００４】
また、そのほかの従来よく知られた排水栓の構造は、例えば図２１に示した物がある。本従来例の排水栓の構造は、洗面台に用いられる排水栓の構造である。
本従来例の排水栓の構造は、槽体と、排水栓と、止水部材と、固定部材と、止水用Ｏリング（上部）と、排水部材としてのオーバーフローアダプター部材・止水用Ｏリング（下部）・配管部材・排水トラップ（図示せず）と、から構成されている。
槽体は、洗面所の陶器製の洗面ボウルであり、底部には排水用の排水口が段押しするように、大きく落ちくぼんだ形で開口されている。この排水口の周縁には後述する排水栓の係止部が係止される。また、当該従来例の洗面ボウルは、ボウルに貯水した水が溢れないようにオーバーフロー用の開口を槽体側面に開口し、オーバーフローした排水を後述する排水部材へと排水するためのオーバーフロー配管を洗面ボウルとは別体で構成している。当該槽体の排水口の止水を行う際は、洗面ボウルの段押し部分に弁体のパッキンを当接することで止水を行うことができる。
排水栓は、前記槽体の排水口周縁に係止する係止部を備え、且つ係止部から垂下して構成される筒状体から成る。係止部は、筒状体上端から側面方向に向かって飛び出す鍔状体であって、当該係止部の裏面には後述する止水部材を介した上で、係止部は槽体の排水口周縁に係止される。筒状体外周部には、後述する固定部材の雌ねじと螺合する雄ねじが螺設され、筒状体下端には後述するオーバーフローアダプター部材が取り付けられる係合部が構成される。
止水部材は、排水栓の係止部の裏面と槽体の排水口周縁の間に配置されるリング状のパッキンであって、槽体上の排水が排水栓の係止部裏面から槽体下面に漏れ出さないように止水している。
固定部材は、内周に雌ねじを螺設した板ナットであって、内周の雌ねじが前記排水栓の筒状体外周の雄ねじと螺合し、両者を螺合させると、排水栓の係止部が排水口周縁に係止されているので、槽体の排水口の周縁を介して係止部と固定部材が締め付け固定される。このようして排水栓は槽体の排水口に取り付けられる。
止水用Ｏリング（上部）は、後述するオーバーフローアダプター部材の内周と、排水栓外周の間に配されるＯリング状のパッキンである。当該止水用Ｏリング（上部）により、排水栓とオーバーフローアダプター部材間の排水が外部へと漏れ出すことを防止する。
オーバーフローアダプター部材は、排水部材であって、円筒状の部材である。また側面にオーバーフロー配管の流入口を構成するとともにオーバーフロー配管に接続される。オーバーフロー配管からの排水は、当該オーバーフローアダプター部材内に流入し、排水部材内部へと合流することができる。また、本オーバーフローアダプター部材は排水栓下端の係合部に係合されて接続される。
止水用Ｏリング（下部）は、後述する排水部材の内周と、オーバーフローアダプター部材外周の間に配されるＯリング状のパッキンである。当該止水用Ｏリング（下部）により、排水部材とオーバーフローアダプター部材間の排水が外部へと漏れ出すことを防止する。
配管部材は、排水部材であって、オーバーフローアダプター部材に接続される排水管である。また配管部材下端には図示しないが排水部材としての排水トラップが接続される。排水トラップは周知のとおり、内部に封水を貯水することで、下水からの臭気や害虫を室内側へと逆流させないようにする部材である。尚、排水部材内に流入した排水は、排水トラップを介して最終的には下水管へと排水される。
また、排水部材は、前述した、オーバーフローアダプター部材・止水用Ｏリング（下部）・配管部材・排水トラップ（図示せず）を指す。（特許文献３）
【０００５】
前記した排水栓の構造の排水の流れは以下のようになる。
特許文献１での排水の流れとしては、槽体上に排水が発生すると、槽体の排水口周縁に取り付けられた排水栓から排水栓内部に排水が流入し、排水部材を介して排水される。排水部材内の排水は、排水トラップを介して最終的には下水管へと排水される。
また、オーバーフロー配管から排水があった際は、洗面ボウルに一体的に構成されたオーバーフロー配管から排水栓の開口窓を介して排水栓内に排水は流入し、配管部材を介して排水される。配管部材内の排水は、排水トラップを介して最終的には下水管へと排水される。
また、槽体内に水を貯水したい際は排水栓に弁体を配置すればよいが、特許文献１での止水部は排水栓の係止部上又は、排水栓の内周面が弁体との止水面となる。
特許文献２での排水の流れとしては、槽体上に排水が発生すると、槽体の排水口周縁に取り付けられた排水栓から排水栓内部に排水が流入し、オーバーフローアダプター部材内部を通過して配管部材へと排水される。配管部材内の排水は、排水トラップを介して最終的には下水管へと排水される。
また、オーバーフロー配管から排水があった際は、洗面ボウルとは別体に構成されたオーバーフロー配管からオーバーフローアダプター部材の流入口からオーバーフローアダプター部材内部に排水が流入し、排水栓の開口窓を介して排水栓内を通過し、配管部材を介して排水される。こうして排水部材内の排水は、排水トラップを介して最終的には下水管へと排水される。
また、槽体内に水を貯水したい際は排水栓に弁体を配置すればよいが、特許文献２での止水部は排水栓の係止部上又は、排水栓の内周面が弁体との止水面となる。
特許文献３での排水の流れとしては、槽体上に排水が発生すると、槽体の排水口周縁に取り付けられた排水栓から排水栓内部に排水が流入し、オーバーフローアダプター部材内部を通過して配管部材へと排水される。配管部材内の排水は、排水トラップを介して最終的には下水管へと排水される。
また、オーバーフロー配管から排水があった際は、洗面ボウルとは別体に構成されたオーバーフロー配管からオーバーフローアダプター部材の流入口からオーバーフローアダプター部材内部に排水が流入し、配管部材へと排水される。こうして排水部材内の排水は、排水トラップを介して最終的には下水管へと排水される。
また、槽体内に水を貯水したい際は排水栓に弁体を配置すればよいが、特許文献３での止水部は槽体の排水口の上部、すなわち槽体の段押し部分が弁体との止水面となる。
【先行技術文献】
【特許文献】
【０００６】
【特許文献１】実公平３−４５６６１号
【特許文献２】実開平７−１５８７１号
【特許文献３】特開２０１２−３６５６０号
【発明の概要】
【発明が解決しようとする課題】
【０００７】
特許文献１と特許文献２従来例での排水栓構造では、係止部の裏面と槽体の排水口周縁の上面の間に止水部材を介する必要がある為、排水口周縁はパッキンの厚み分、一段落ちくぼんだ、段押し形状にする必要がある。なぜならば、段押し形状が無ければ係止部が槽体の排水口周縁に係止されるため、係止部の厚み分水残りが発生する。よって、排水口の周縁は一段落ちくぼんだ形状となる必要がある。すると、今度はこの落ちくぼんだ段押し部分と排水栓の係止部裏面の止水部材との間に、常時排水が水残りすることとなる。
また、特許文献３に記載したような技術は、特許文献１又は特許文献２のような技術と比較して、排水栓の係止部を槽体の上方から使用者から視認されないようにするため、槽体の排水口を深く落ちくぼませて弁体をその上方の槽体に当接させることで槽体の止水を図る技術である。このような技術であれば、使用者から係止部が見えない為、槽体の意匠性を高めることができる。
しかし、前記した特許文献１乃至特許文献３の技術では以下のような問題があった。
排水栓は、前述したように、係止部によって排水栓下に配管される排水部材全ての重量を吊り下げねばならないこと、また排水栓の下方からは固定部材によって常時強い力で締め付け固定されている為、係止部付近には常時強い応力・負荷がかかっている状態となる。このような状態の排水栓に、前述のように係止部付近に水残りが常時発生した状態となってしまうと、排水中の薬剤、さらには熱湯等の負荷により、常時負荷が加わっている排水栓にストレスを与えてしまう。そうすると、結果的にケミカルクラック、又はストレスクラッキング等のように呼ばれている、樹脂製品の割れが発生してしまうことが多発していた。
また、排水栓の係止部の周囲に常時水が残っている状態は使用者にも視認されることから、非常に意匠性が悪く、更に汚れの原因にもなってしまうことから、このような排水口周縁と係止部付近の水残りは非常に問題であった。
【０００８】
以上のことから、本願発明は以下の課題を解決する。
１．排水栓係止部と、槽体排水口周縁の間に水残りを発生させない。
２．排水栓にケミカルクラックによる割れを発生させない。
３．排水栓の係止部周囲の汚れや意匠性を高める。
【課題を解決するための手段】
【０００９】
請求項１に記載の排水栓の水抜き構造は、底部に排水口２を開口した槽体１と、排水口周縁２１に係止する係止部３１を備え、且つ係止部３１から垂下して構成される筒状体３２から成る排水栓３と、排水栓３から排出される排水を最終的には下水管へと排水するための排水部材４と、から構成される排水栓の水抜き構造において、前記係止部３１を槽体１の排水口周縁２１上方に係止させ、槽体１裏面から排水部材４に排水栓３の筒状体３２を挿入し、排水栓３の係止部３１と排水部材４の間に槽体１の排水口周縁２１を介在させることによって排水栓３を槽体１に取付けた上で、前記排水栓３の外表面と排水口周縁２１の間に、係止部３１裏面の水を排水部材４へと排水する水抜き構造５を備えたことを特徴とする排水栓の水抜き構造である。
【００１０】
請求項２に記載の排水栓の水抜き構造は、水抜き構造５を、排水栓３又は槽体１の排水口２とは別部材のアダプター５３によって構成したことを特徴とする前記段落０００９に記載の排水栓の水抜き構造である。
【００１１】
請求項３に記載の排水栓の水抜き構造において、水抜き構造５は、排水栓３の外表面と排水口周縁２１の間に構成した凸部５１から構成したことを特徴とする前記段落０００９又は段落００１０に記載の排水栓の水抜き構造である。
【００１２】
請求項４に記載の排水栓の水抜き構造において、水抜き構造５は、排水栓３の外表面と排水口周縁２１の間に構成した凹部５２から構成したことを特徴とする前記段落０００９又は段落００１０に記載の排水栓の水抜き構造である。
【００１３】
請求項５に記載の排水栓の水抜き構造において、水抜き構造５は、係止部３１の側面又は裏面から、筒状体３２の任意の箇所まで連続して構成されることを特徴とする前記段落０００９乃至段落００１２のいずれか一つに記載の排水栓の水抜き構造である。
【００１４】
請求項６に記載の排水栓の水抜き構造において、水抜き構造５を、排水栓３の上下方向に向けて構成される筋状としたことを特徴とする前記段落００１３に記載の排水栓の水抜き構造である。
【００１５】
請求項７に記載の排水栓の水抜き構造において、水抜き構造５は、排水栓３の筒状体３２に通水孔５４を開口し、係止部３１裏面の水を当該通水孔５４から排水栓３内部に通水させて排水部材４へと排水することを特徴とする前記段落０００９に記載の排水栓の水抜き構造である。
【００１６】
請求項８に記載の排水栓の水抜き構造において、水抜き構造５は、槽体１の排水口周縁２１に通水孔５４を開口し、係止部３１裏面の水を当該通水孔５４から直接的に槽体１裏の排水部材４へと排水させることを特徴とする前記段落０００９に記載の排水栓の水抜き構造である。
【００１７】
請求項９に記載の排水栓の水抜き構造において、記係止部３１は、筒状体３２の上端から外側方向へ向かって鍔状に突出して構成したことを特徴とする前記段落０００９乃至段落００１６のいずれか一つに記載の排水栓の水抜き構造である。
【発明の効果】
【００１８】
請求項１に記載の本発明は、係止部３１を槽体１の排水口周縁２１上方に係止させ、槽体１裏面から排水部材４に排水栓３の筒状体３２を挿入し、排水栓３の係止部３１と排水部材４の間に槽体１の排水口周縁２１を介在させることによって排水栓３を槽体１に取付けた上で、前記排水栓３の外表面と排水口周縁２１の間に、係止部３１裏面の水を排水部材４へと排水する水抜き構造５を備えたことから、係止部３１の裏面の水が排水部材４側へと排水できるので、排水が係止部３１裏にいつまでも残ることが無くなり、排水中に薬剤や熱湯があったとしても、排水栓３にケミカルクラック現象による割れが発生しない。また、排水栓３の係止部３１の周囲に水が残らないので、排水栓３の係止部３１の周囲に汚れが蓄積することもないので、意匠性が向上する。
請求項２に記載の本発明は、水抜き構造５を、排水栓３又は槽体１の排水口２とは別部材のアダプター５３によって構成したことから、既存の排水栓３において当該アダプター５３を取り付ければ、排水栓３の係合部裏面と排水口周縁２１付近の水は円滑に排水部材４側へと排水される。
請求項３及び請求項４に記載の本発明は、排水栓３の外表面と排水口周縁２１の間に構成した凸部５１又は凹部５２から構成したことから、係止部３１の裏面の水が排水部材４側へと排水できるので、排水が係止部３１裏にいつまでも残ることが無くなり、排水中に薬剤や熱湯があったとしても、排水栓３にケミカルクラック現象による割れが発生しない。また、排水栓３の係止部３１の周囲に水が残らないので、排水栓３の係止部３１の周囲に汚れが蓄積することもないので、意匠性が向上する。
請求項５に記載の本発明は、前記水抜き構造５は、係止部３１の側面又は裏面から、筒状体３２の任意の箇所まで連続して構成されることから、より確実に係止部３１裏面の排水が排水部材４へと排水することができる。
請求項６に記載の本発明は、前記水抜き構造５を、排水栓３の上下方向に向けて構成される筋状としたことから、より確実に係止部３１裏面の排水が排水部材４へと排水することができる。
請求項７に記載の本発明は、前記水抜き構造５は、排水栓３の筒状体３２に通水孔５４を開口し、係止部３１裏面の水を当該通水孔５４から排水栓３内部に通水させて排水部材４へと排水することから、排水栓３の裏側からわざわざ排水を通過させることなく排水栓３の通水孔５４から排水することができるので、係止部３１の裏面と槽体１排水口の周縁２１の間に排水中の汚れ等が付着することが無く衛生的である。
請求項８に記載の本発明は、前記水抜き構造５は、槽体１の排水口周縁２１に通水孔５４を開口し、係止部３１裏面の水を当該通水孔５４から直接的に槽体１裏の排水部材４へと排水させることから、排水栓３の裏側から排水を通過する前に、槽体１の通水孔５４から排水部材４へと排水することができるので、係止部３１の裏面と槽体１排水口の周縁２１の間に排水中の汚れ等が付着することが無く衛生的である。
請求項９に記載の本発明は、前記係止部３１は、筒状体３２の上端から外側方向へ向かって鍔状に突出して構成したことから、係止部３１によって槽体１の排水口周縁２１に係止して取り付けることが出きる。
【図面の簡単な説明】
【００１９】
【図１】実施例１の施工状態を示す断面図である。尚、破線で示しているのは弁体の上昇を示す想像線である。
【図２】実施例１における排水栓に構成された水抜き構造を示す、排水栓の一部側面図である。
【図３】実施例１における分解斜視図である。
【図４】実施例１の施工状態を示す、一部断面斜視図である。
【図５】実施例２を示す分解斜視図である。
【図６】実施例２の施工状態を示す、一部断面斜視図である。
【図７】実施例３における分解斜視図である。
【図８】実施例３の施工状態を示す、斜視図である。
【図９】図８におけるＡ部の拡大断面図である。尚、図中の矢印は水の流れを示す。
【図１０】実施例４の分解斜視図及びＡ部詳細図である。
【図１１】実施例４の施工状態を示す、一部断面斜視図である。
【図１２】排水栓に構成する凸部のその他の実施例を示す斜視図及びＡ部拡大断面図である。
【図１３】排水栓に構成する凸部のその他の実施例を示す斜視図及びＡ部拡大断面図である。
【図１４】槽体に構成する凹部のその他の実施例を示す図である。(a)断面図(b)、(c)斜視図
【図１５】アダプターに凹部を構成した場合の実施例を示す斜視図である。
【図１６】図１５におけるアダプターを槽体に載置した状態を示す図である。(a)断面図(b)、(c)斜視図
【図１７】槽体の排水口に通水孔を構成したその他の実施例を示す図である。(a)断面図(b)、(c)斜視図
【図１８】排水栓に通水孔を構成したその他の実施例を示す斜視図である。
【図１９】従来例を示す図である。
【図２０】従来例を示す図である。
【図２１】従来例を示す図である。
【発明を実施するための形態】
【実施例１】
【００２０】
本実施例は、図１乃至図４に示される、洗面台の洗面ボウルに用いられる排水栓の水抜き構造である。
本実施例の排水栓の水抜き構造は、槽体１と、弁体６と、排水栓３と、排水部材４としての止水用Ｕパッキン４１・オーバーフローアダプター部材４２・止水用三角パッキン４３・固定部材４５・配管部材４６・排水トラップ（図示せず）と、から構成されている。
槽体１は、洗面所の琺瑯製の洗面ボウルであり、底部には排水用の排水口２が槽体１の底面から一段深く落ちくぼんだ形で開口されている。この排水口の周縁２１には後述する排水栓３の係止部３１が係止される。また、当該実施例の洗面ボウルは、ボウルに貯水した水が溢れないようにオーバーフロー用の開口を槽体１側面に開口し、オーバーフローした排水を後述する配管部材４６へと排水するためのオーバーフロー配管４７を洗面ボウルとは別体で構成している。
弁体６は、図１に図示したように従来から周知の、排水口２に配置した弁体６に対して離れた箇所に設置している操作部７を操作することで、遠隔的に排水口２の弁体６を開閉できるという遠隔操作式排水栓装置を用いており、この弁体６が排水口２に取り付けられる後述の排水栓３内部に上下動自在に配置されている。また、この弁体６は、弁体６が下降して槽体１の排水口２の落ちくぼんだ箇所の傾斜面に弁体６のパッキン６１が当接して着座する事で排水口２の止水を達成することが出来、排水口２を開口する時は弁体６が上動して排水口２の傾斜面の着座状態が解除されて排水口２が開口し、排水が排水栓３方向へと排水することができるものである。つまり、弁体６は排水栓３ではなく槽体１に当接し、排水栓３をすっぽり包むように配置される。
排水栓３は、前記槽体１の排水口周縁２１に係止する係止部３１を備え、且つ係止部３１から垂下して構成される筒状体３２から成る。係止部３１は、筒状体３２上端から側面方向に向かって飛び出す鍔状体であって、係止部３１は槽体１の排水口周縁２１に係止される。
また、本実施例の排水栓３は、排水栓３の係止部３１自体に傾斜を設け、係止部３１の傾斜が槽体１の排水口２の落ちくぼみの傾斜に連続するようにした。そうすると、従来の排水栓３の鍔部が水平方向に構成されているよりも、排水口２と排水栓３が連続するように視認できるので、非常に意匠性が良い構造となっている。
係止部３１の裏面には図１のＡ部詳細及び図２に示したように水抜き構造５が構成されており、排水栓３の係止部３１の裏面、すなわち係止部３１の排水口２に接する面に複数構成した凸状のリブからなる凸部５１を水抜き構造５とした。この凸部５１は、係止部３１の裏面の端部を始点とし筒状体３２の途中位置を終点として、排水栓３の上下方向に向かう縦筋状のリブで構成される。なお、凸部５１の終点である筒状体３２の途中位置は、具体的には排水栓３の後述する開口窓３３上端まで構成される。この水抜き構造５である凸部５１の終点は、排水栓３の筒状体３２まであることが望ましいが、それは排水栓３の最下端まで構成してもよく、結果的には係止部３１裏の排水が排水部材４内に流入すれば良い。
また、筒状体３２の側面にはオーバーフロー用の開口窓３３が構成されており、この開口窓３３から槽体１のオーバーフロー配管４７からの流路を排水栓３内へと合流させることができる。また、当該開口窓３３は、後述するオーバーフローアダプター部材４２中に配置される。筒状体３２下端には、後述する固定部材４５の雌ねじと螺合する雄ねじが螺設されている。
排水部材４は、後述する止水用Ｕパッキン４１・オーバーフローアダプター部材４２・止水用三角パッキン４３・固定部材４５・配管部材４６・排水トラップ（図示せず）である。
排水部材４の止水用Ｕパッキン４１は、後述するオーバーフローアダプター部材４２の上部と、槽体１排水口周縁２１の裏面（下面）の間に配される断面視Ｕ字状のパッキンである。（尚、本実施例ではＵパッキンを用いているが、その他の形状のパッキンでも構わない。）当該止水用Ｕパッキン４１により、排水口２からの排水や、排水栓３の係止部３１裏の排水が槽体１下側の表面へと漏れ出すことを防止する。
排水部材４のオーバーフローアダプター部材４２は、円筒状の部材であり、側面にオーバーフロー配管４７の流入口を構成するとともにオーバーフロー配管４７に接続される。このオーバーフローアダプター部材４２は、槽体１裏面の排水口２直下に構成され、内部に排水栓３が排水口２に係止された状態で配され、上部は止水用Ｕパッキン４１、下方は止水用三角パッキン４３にて止水されつつ洗面ボウルに押し当てられ取り付けられる。オーバーフロー配管４７からの排水は、当該オーバーフローアダプター部材４２内に流入し、排水栓３の開口窓３３から排水栓３内部へと合流することができる。
排水部材４の止水用三角パッキン４３は、断面視三角形状をしたリング状のパッキンであり、後述する固定部材４５によって押し上げられて、頂点部分がオーバーフローアダプター部材４２下面に当接し、止水用三角パッキン４３の側面の傾斜面に当接して内方に倒れ縮径することでオーバーフローアダプター部材４２下面及び排水栓３の筒状体３２外周を止水する。
排水部材４の固定部材４５は、内周に雌ねじを螺設した板ナットであって、その上部には止水用三角パッキン４３を配置する。固定部材４５の内周の雌ねじは、前記排水栓３の筒状体３２下端の雄ねじと螺合し、両者を螺合させると、固定部材４５の上方に配置された止水用三角パッキン４３が押し上げられ、上述のようにオーバーフローアダプター部材４２と排水栓３の止水を行う。
排水部材４の配管部材４６は、排水栓３の筒状体３２下端に接続される排水管であって、その下端には図示しないが排水トラップが接続される。排水トラップは周知のとおり、内部に封水を貯水することで、下水からの臭気や害虫を室内側へと逆流させないようにする部材である。尚、排水部材４内に流入した排水は、排水トラップを介して最終的には下水管へと排水される。
【００２１】
前記した排水栓の水抜き構造は以下のように施工される。
図３に示すように、槽体１の排水口２の上方から排水栓３を差し込み、排水栓３の係止部３１を排水口周縁２１に係止させる。このとき、水抜き構造５である凸部５１が排水口の周縁上２１に載置されるので、排水口周縁２１の上面と排水栓３の係止部３１裏面の間には凸部５１によって隙間が構成される。
また、槽体１の裏面から止水用Ｕパッキン４１を介してオーバーフローアダプター部材４２を排水口２に差し込まれた排水栓３に差し込み、槽体１の裏面側排水口周縁２１に止水用Ｕパッキン４１を押し当てるようにオーバーフローアダプター部材４２を押し当てる。その後、止水用三角パッキン４３を排水栓３に差し込み、排水栓３の筒状体３２下端の雄ねじに固定部材４５を螺合させ、止水用三角パッキン４３を介してオーバーフローアダプター部材４２を水密的に槽体１に取り付ける。この作業により、結果的に排水栓３は排水口周縁２１とオーバーフローアダプター部材４２を介して係止部３１と固定部材４５が締め付け固定され、排水栓３、止水用Ｕパッキン４１、オーバーフローアダプター部材４２、止水用三角パッキン４３、固定部材４５は槽体１に強固且つ水密的に取り付けられる。
その後、排水栓３下端に配管部材４６を接続し、又、配管部材４６は排水トラップを介して下水管へと接続され、本実施例の施工は完了する。
上記のように、係止部３１の下側の面と排水口周縁２１など、係止部３１の外縁から開口窓３３までの水抜き構造５の部分には止水を行うためのパッキンなどの水密部材は配置されていない。
【００２２】
本実施例の排水栓の水抜き構造は以下のような排水の流れとなる。
まず、図１における弁体６が槽体１の排水口２に着座している状態（弁体６の実線部分）から遠隔操作式排水栓装置の操作部７を操作すると、排水口２内の弁体６が上昇し、図１における弁体６の想像線（破線）部分のように排水口２が開口し、開口が維持される。すると、槽体１内の排水は、排水口２に取り付けられた排水栓３を介し配管部材４６へと排出され、排水トラップを介して最終的には下水管へと排水される。なお、この排水が排出されている時、又は排水が終了した際に排水口周縁２１と排水栓３の係合部の裏面に流入した排水は、水抜き構造５である係合部の裏面に構成された凸部５１により形成された隙間から、排水口２を介して排水栓３又は排水部材４へと合流することになる。このとき、凸部５１は排水栓３の開口窓３３まで連続して構成されていることから、係合部裏面の排水は円滑に排水部材４側へと通水することができる。よって、排水口２の周囲、つまり排水栓３の係合部裏面付近に水が残ることがないので、排水栓３が長時間薬剤によって汚染された排水に晒されるようなことがないのでケミカルクラックが発生するようなことが無くなる。また水残りによる汚れなども防止でき、意匠性も向上した。
また、この状態から再度遠隔操作式排水栓装置の操作部７を操作すると、図１における弁体６の実線部分のように弁体６が下降し、槽体１の排水口２の落ちくぼんだ部分である傾斜面に着座し、弁体６のパッキン６１が槽体１の排水口２に当接する。そうすると、結果的に弁体６は排水栓３の係合部よりも上流部分で止水されるので、排水栓３の水抜き構造５から下流へと排水が漏れ出すようなことがない。
この動作の繰り返しにより、排水／貯水を行うことができる。
また、オーバーフロー配管４７から排水があった際は、洗面ボウルに別体で構成されたオーバーフロー配管４７からオーバーフローアダプター部材４２内に流入し、さらにはオーバーフローアダプター部材４２内の排水栓３の開口窓３３を介して排水栓３内に排水は流入し、配管部材４６を介して排水される。排水部材４内の排水は、排水トラップを介して最終的には下水管へと排水される。
【実施例２】
【００２３】
本実施例は、図５乃至図６に示され洗面台の洗面ボウルに用いられる排水栓の水抜き構造である。
本実施例の排水栓の水抜き構造は、槽体１と、弁体６と、排水栓３と、排水部材４としての止水用平パッキン４４・排水部材４・排水トラップ（図示せず）と、から構成されている。
槽体１は、洗面所の琺瑯製の洗面ボウルであり、底部には排水用の排水口２が槽体１の底面から一段深く落ちくぼんだ形で開口されている。この排水口の周縁２１には後述する排水栓３の係止部３１が係止される。
弁体６は、本実施例では図示しないが、従来から周知の、排水口２に配置した弁体６に対して離れた箇所に設置している操作部７（図示せず）を操作することで、遠隔的に排水口２の弁体６を開閉できるという遠隔操作式排水栓装置を用いており、この弁体６が排水口２に取り付けられる後述の排水栓３内部に上下動自在に配置されている。また、この弁体６は、弁体６が下降して槽体１の排水口２の落ちくぼんだ箇所の傾斜面に弁体６のパッキン６１が当接して着座する事で排水口２の止水を達成することが出来、排水口２を開口する時は弁体６が上動して排水口２の傾斜面の着座状態が解除されて排水口２が開口し、排水が排水栓３方向へと排水することができるものである。つまり、弁体６は排水栓３ではなく槽体１に当接し、排水栓３をすっぽり包むように配置される。
排水栓３は、前記槽体１の排水口２に係止する係止部３１を備え、且つ係止部３１から垂下して構成される筒状体３２から成る。係止部３１は、筒状体３２上端から側面方向に向かって飛び出す鍔状体であって、係止部３１は槽体１の排水口２に係止される。
係止部３１の裏面には図５及び図６に示すように、水抜き構造５が構成されており、排水栓３の係止部３１の裏面、すなわち排水口２に接する面に複数構成した凹状の溝からなる凹部５２を水抜き構造５とした。この凹部５２は、係止部３１の裏面の端部を始点とし筒状体３２の下端を終点として、排水栓３の上下方向に向かう縦筋状の溝で構成される。なお、凹部５２の終点である筒状体３２の最下端には、排水部材４が螺合する為の雄ねじが螺設されている。
排水部材４は、後述する止水用平パッキン４４・排水部材４・排水トラップ（図示せず）である。
排水部材４の止水用平パッキン４４は、後述する排水部材４の上部と、槽体１排水口周縁２１の裏面（下面）の間に配される断面視平板形状のパッキンである。（尚、本実施例では平パッキンを用いているが、その他の形状のパッキンでも構わない。）当該止水用平パッキン４４により、排水口２からの排水や、排水栓３の係止部３１裏の排水が槽体１下側の表面へと漏れ出すことを防止する。
排水部材４は、排水栓３の筒状体３２下端に接続される排水管であって、その上端内周には排水栓３の雄ねじに螺合する雌ねじが螺設されている。この排水部材４は、排水栓３をその内周に配置させた上で、下端には図示しないが排水部材４としての排水トラップが接続される。排水トラップは周知のとおり、内部に封水を貯水することで、下水からの臭気や害虫を室内側へと逆流させないようにする部材である。尚、排水部材４内に流入した排水は、排水トラップを介して最終的には下水管へと排水される。
【００２４】
前記した排水栓の水抜き構造は以下のように施工される。
図５に示すように、槽体１の排水口２の上方から排水栓３を差し込み、排水栓３の係止部３１を排水口周縁２１に係止させる。このとき、水抜き構造５である凹部５２が排水口の周縁２１上に載置されるので、排水口周縁２１の上面と排水栓３の係止部３１裏面の間には凹部５２によって通水用の溝（通路）が構成される。
また、槽体１の裏面から止水用平パッキン４４を介して配管部材４６を排水口２に差し込まれた排水栓３に差し込み、槽体１の裏面側排水口周縁２１に止水用平パッキン４４を押し当てるように配管部材４６の雌ねじを排水栓３の雄ねじに螺合させていき押し上げてゆく。止水用平パッキン４４が槽体１裏面の排水口周縁２１に水密的に当接するまで締め付ける。この作業により、結果的に排水栓３は排水口周縁２１を介して係止部３１と排水部材４が締め付けられることで固定され、排水栓３、止水用平パッキン４４、排水部材４は槽体１に強固且つ水密的に取り付けられる。
その後、排水部材４下端に排水トラップを接続し、最終的には排水管等により下水管に接続され、本実施例の施工は完了する。
上記のように、係止部３１の下側の面と排水口周縁２１など、係止部３１の外縁から排水栓３の筒状体３２下端までの水抜き構造５の部分には、止水を行うためのパッキンなどの水密部材は配置されていない。
【００２５】
本実施例の排水栓の水抜き構造は以下のような排水の流れとなる。
まず、弁体６が槽体１の排水口２に着座している状態から遠隔操作式排水栓装置の操作部７（図示せず）を操作すると、排水口２内の弁体６が上昇し、排水口２が開口し、開口が維持される。すると、槽体１内の排水は、排水口２に取り付けられた排水栓３を介し排水部材４へと排出され、排水トラップを介して最終的には下水管へと排水される。なお、この排水が排出されている時、又は排水が終了した際に排水口周縁２１と排水栓３の係合部の裏面に流入した排水は、水抜き構造５である係合部の裏面に構成された凹部５２により形成された通水用通路から、排水口２を介して排水栓３又は排水部材４へと合流することになる。このとき、凹部５２は排水栓３の下端まで連続して構成されていることから、係合部裏面の排水は円滑に凹部５２を通過して排水部材４側へと通水することができる。よって、排水口２の周囲、つまり排水栓３の係合部裏面付近に水が残ることがないので、排水栓３が長時間薬剤によって汚染された排水に晒されるようなことがないのでケミカルクラックが発生するようなことが無い。また、水残りによる汚れなども防止でき、意匠性も向上した。
また、この状態から再度遠隔操作式排水栓装置の操作部７を操作すると、弁体６が下降し、槽体１の排水口２の落ちくぼんだ部分である傾斜面に着座し、弁体６のパッキン６１が槽体１の排水口２に当接する。そうすると、結果的に弁体６は排水栓３の係合部よりも上流部分で止水されるので、排水栓３の水抜き構造５から下流へと排水が漏れ出すようなことがない。
この動作の繰り返しにより、排水／貯水を行うことができる。
【実施例３】
【００２６】
本実施例は、図７乃至図９に示される洗面台の洗面ボウルに用いられる排水栓の水抜き構造である。
本実施例の排水栓の水抜き構造は、槽体１と、弁体６と、排水栓３と、アダプター５３と、排水部材４としてのオーバーフロー配管４７・止水用三角パッキン４３・固定部材４５・配管部材４６・排水トラップ（図示せず）と、から構成されている。
本実施例の排水栓の構造は、槽体１と、排水栓と、止水用三角パッキン４３と、固定部材４５と、排水部材４と、排水トラップ（図示せず）と、から構成されている。
槽体１は、洗面所の陶器製の洗面ボウルであり、底部には排水用の排水口２が槽体１の底面から一段深く落ちくぼんだ形で開口されている。この排水口の周縁２１には後述する排水栓３の係止部３１が係止される。また、当該実施例の洗面ボウルは、ボウルに貯水した水が溢れないようにオーバーフロー用の開口を槽体１側面に開口し、オーバーフローした排水を後述する排水栓３または配管部材４６へと排水するためのオーバーフロー配管４７を洗面ボウルに一体的に構成している。
弁体６は、本実施例では図示しないが、従来から周知の、排水口２に配置した弁体６に対して離れた箇所に設置している操作部７（図示せず）を操作することで、遠隔的に排水口２の弁体６を開閉できるという遠隔操作式排水栓装置を用いており、この弁体６が排水口２に取り付けられる後述の排水栓３内部に上下動自在に配置されている。また、この弁体６は、弁体６が下降して槽体１の排水口２の落ちくぼんだ箇所の傾斜面に弁体６のパッキン６１が当接して着座する事で排水口２の止水を達成することが出来、排水口２を開口する時は弁体６が上動して排水口２の傾斜面の着座状態が解除されて排水口２が開口し、排水が排水栓３方向へと排水することができるものである。つまり、弁体６は排水栓３ではなく槽体１に当接し、排水栓３をすっぽり包むように配置される。
排水栓３は、前記槽体１の排水口周縁２１に係止する係止部３１を備え、且つ係止部３１から垂下して構成される筒状体３２から成る。係止部３１は、筒状体３２上端から側面方向に向かって飛び出す鍔状体であって、係止部３１は槽体１の排水口周縁２１上に載置されたアダプター５３に係止される。尚、アダプター５３は排水口周縁２１に載置されているので、間接的に排水口２に係止部３１は係止されることになる。また、筒状体３２の側面にはオーバーフロー用の開口窓３３が構成されており、この開口窓３３から槽体１のオーバーフロー配管４７からの流路を配管部材４６内へと合流させることができる。また、当該開口窓３３は、槽体１のオーバーフロー配管４７部分に配置される。筒状体３２下端には、後述する固定部材４５の雌ねじと螺合する雄ねじが螺設されている。
アダプター５３は、図７乃至図９に示すように、水抜き構造５として使用される部材であって、槽体１の排水口周縁２１に載置する部材であって、本実施例では、平板状のリング体であるリング部５３３と、リング部５３３の下面から垂下するように構成された凸状のリブである凸部５１を複数構成する部材である。当該凸部５１を排水口周縁２１に載置し、リング体の上面に排水栓３の係止部３１が載置されて係止する。結果的に、当該水抜き構造５であるアダプター５３によって、係止部３１の裏面には水抜き構造５が構成されることになり、排水栓３の係止部３１の裏面、すなわち排水口２に接する面に、アダプター５３によって形成された凸部５１を水抜き構造５とした。
排水部材４は、後述するオーバーフロー配管４７・止水用三角パッキン４３・固定部材４５・配管部材４６・排水トラップ（図示せず）である。
排水部材４のオーバーフロー配管４７は、前述のように洗面ボウルのオーバーフロー用開口から排水栓３までに連通する配管であって、本実施例では洗面ボウルに二層構造のように一体的に構成されている。当該オーバーフロー配管４７は、槽体１の排水口２に排水栓が取り付けられることで、オーバーフロー排水が排水栓３の開口窓３３から排水栓３内へ流入するように構成されている。
排水部材４としての止水用三角パッキン４３は、断面視三角形状をしたリング状のパッキンであり、後述する固定部材４５によって押し上げられて、頂点部分が洗面ボウル下面に当接し、止水用三角パッキン４３の側面の傾斜面に当接して内方に倒れ縮径することで洗面ボウル下面及び排水栓３の筒状体３２外周を止水する。
排水部材４の固定部材４５は、内周に雌ねじを螺設した板ナットであって、その上部には止水用三角パッキン４３を配置する。固定部材４５の内周の雌ねじは、前記排水栓３の筒状体３２下端の雄ねじと螺合し、両者を螺合させると、固定部材４５の上方に配置された止水用三角パッキン４３が押し上げられ、上述のように洗面ボウルと排水栓３の止水を行う。
排水部材４の配管部材４６は、図示しないが、排水栓３の筒状体３２下端に接続される排水管であって、その下端には図示しないが排水部材４としての排水トラップが接続される。排水トラップは周知のとおり、内部に封水を貯水することで、下水からの臭気や害虫を室内側へと逆流させないようにする部材である。尚、排水部材４内に流入した排水は、排水トラップを介して最終的には下水管へと排水される。
【００２７】
前記した排水栓の水抜き構造は以下のように施工される。
図７に示すように、槽体１の排水口２の上方から、排水口周縁２１にアダプター５３を凸部５１を下にして載置する。
そして、槽体１の排水口２の上方から排水栓３を差し込み、排水栓３の係止部３１をアダプター５３のリング部５３３に係止させる。このとき、水抜き構造５のアダプター５３の凸部５１が排水口の周縁２１上に載置されて排水口周縁２１の上面と排水栓３の係止部３１裏面の間には凸部５１によって隙間が構成される。
また、槽体１の裏面から止水用三角パッキン４３を排水栓３に差し込み、排水栓３の筒状体３２下端の雄ねじに固定部材４５を螺合させ、止水用三角パッキン４３を介して排水栓３を水密的に槽体１に取り付ける。この作業により、結果的に排水栓３は排水口周縁２１を介して係止部３１と固定部材４５で締め付け固定され、排水栓３、止水用三角パッキン４３、固定部材４５は槽体１に強固且つ水密的に取り付けられる。
その後、排水栓３下端に配管部材４６を接続し、又、排水部材４は排水トラップを介して下水管へと接続され、本実施例の施工は完了する。
上記のように、係止部３１の下側の面と排水口周縁２１など、排水栓３の外表面と排水口周縁２１の間に構成される、水抜き構造５としてのアダプター５３の部分には、止水を行うためのパッキンなどの水密部材は配置されていない。
【００２８】
本実施例の排水栓の水抜き構造は以下のような排水の流れとなる。
まず、弁体６が槽体１の排水口２に着座している状態から遠隔操作式排水栓装置の操作部７を操作すると、排水口２内の弁体６が上昇し、排水口２が開口し、開口が維持される。すると、槽体１内の排水は、排水口周縁２１に取り付けられた排水栓３を介し配管部材４６へと排出され、排水トラップを介して最終的には下水管へと排水される。なお、この排水が排出されている時、又は排水が終了した際に排水口周縁２１と排水栓３の係合部の裏面に流入した排水は、図９に示すように、水抜き構造５であるアダプター５３の凸部５１により形成された隙間から、排水口２を介して排水栓３又は配管部材４６へと合流することになる。よって、排水口２の周囲、つまり排水栓３の係合部裏面付近に水が残ることがないので、排水栓３が長時間薬剤によって汚染された排水に晒されるようなことがないのでケミカルクラックが発生するようなことが無い。また、水残りによる汚れなども防止でき、意匠性も向上した。
また、この状態から再度遠隔操作式排水栓装置の操作部７を操作すると、弁体６が下降し、槽体１の排水口２の落ちくぼんだ部分である傾斜面に着座し、弁体６のパッキン６１が槽体１の排水口２に当接する。そうすると、結果的に弁体６は排水栓３の係合部よりも上流部分で止水されるので、排水栓３の水抜き構造５から下流へと排水が漏れ出すようなことがない。
この動作の繰り返しにより、排水／貯水を行うことができる。
また、オーバーフロー配管４７から排水があった際は、洗面ボウルに一体で構成されたオーバーフロー配管４７から排水栓３の開口窓３３を介して排水栓３内に排水は流入し、配管部材４６を介して排水される。排水部材４内の排水は、排水トラップを介して最終的には下水管へと排水される。
【実施例４】
【００２９】
本実施例は、図１０乃至図１１に示される洗面台の洗面ボウルに用いられる排水栓の水抜き構造である。
本実施例の排水栓の水抜き構造は、槽体１と、弁体６と、排水栓３と、排水部材４としての止水用Ｕパッキン４１・オーバーフローアダプター部材４２・止水用三角パッキン４３・固定部材４５・配管部材４６・排水トラップ（図示せず）と、から構成されている。
槽体１は、洗面所の琺瑯製の洗面ボウルであり、底部には排水用の排水口２が槽体１の底面から一段深く落ちくぼんだ形で開口されている。この排水口の周縁２１には後述する排水栓３の係止部３１が係止される。また、当該実施例の洗面ボウルは、ボウルに貯水した水が溢れないようにオーバーフロー用の開口を槽体１側面に開口し、オーバーフローした排水を後述する排水部材４へと排水するためのオーバーフロー配管４７を洗面ボウルとは別体で構成している。
また、図１０及び図１０のＡ部詳細図に示されているように、槽体１の排水口の周縁２１には水抜き構造５が一体的に構成されている。具体的には槽体１の排水口周縁２１の上面及び排水口２の側面に亘って複数凸設したリブからなる凸部５１を水抜き構造５とした。この凸部５１は、排水口の周縁２１上面を始点とし排水口２の側面下端までを終点として、排水口２の上下方向に向かう縦筋状のリブで構成される。
弁体６は、本実施例では図示しないが、従来から周知の、排水口２に配置した弁体６に対して離れた箇所に設置している操作部７（図示せず）を操作することで、遠隔的に排水口２の弁体６を開閉できるという遠隔操作式排水栓装置を用いており、この弁体６が排水口２に取り付けられる後述の排水栓３内部に上下動自在に配置されている。また、この弁体６は、弁体６が下降して槽体１の排水口２の落ちくぼんだ箇所の傾斜面に弁体６のパッキン６１が当接して着座する事で排水口２の止水を達成することが出来、排水口２を開口する時は弁体６が上動して排水口２の傾斜面の着座状態が解除されて排水口２が開口し、排水が排水栓３方向へと排水することができるものである。つまり、弁体６は排水栓３ではなく槽体１に当接し、排水栓３をすっぽり包むように配置される。
排水栓３は、前記槽体１の排水口２に係止する係止部３１を備え、且つ係止部３１から垂下して構成される筒状体３２から成る。係止部３１は、筒状体３２上端から側面方向に向かって飛び出す鍔状体であって、係止部３１は槽体１の排水口周縁２１に構成された凸部５１に係止される。
また、筒状体３２の側面にはオーバーフロー用の開口窓３３が構成されており、この開口窓３３から槽体１のオーバーフロー配管４７からの流路を配管部材４６又は排水栓３内へと合流させることができる。また、当該開口窓３３は、後述するオーバーフローアダプター部材４２中に配置される。筒状体３２下端には、後述する固定部材４５の雌ねじと螺合する雄ねじが螺設されている。
排水部材４は、後述する止水用Ｕパッキン４１・オーバーフローアダプター部材４２・止水用三角パッキン４３・固定部材４５・配管部材４６・排水トラップ（図示せず）である。
排水部材４の止水用Ｕパッキン４１は、後述するオーバーフローアダプター部材４２の上部と、槽体１排水口周縁２１の裏面（下面）の間に配される断面視Ｕ字状のパッキンである。（尚、本実施例ではＵパッキンを用いているが、その他の形状のパッキンでも構わない。）当該止水用Ｕパッキン４１により、排水口２からの排水や、排水栓３の係止部３１裏の排水が槽体１表面へと漏れ出すことを防止する。
排水部材４のオーバーフローアダプター部材４２は、円筒状の部材であり、側面にオーバーフロー配管４７の流入口を構成するとともにオーバーフロー配管４７に接続される。このオーバーフローアダプター部材４２は、槽体１裏面の排水口２直下に構成され、内部に排水栓３が排水口２に係止された状態で配され、上部は止水用Ｕパッキン４１、下方は止水用三角パッキン４３にて止水されつつ洗面ボウルに押し当てられ取り付けられる。オーバーフロー配管４７からの排水は、当該オーバーフローアダプター部材４２内に流入し、排水栓３の開口窓３３から排水栓３内部へと合流することができる。
排水部材４の止水用三角パッキン４３は、断面視三角形状をしたリング状のパッキンであり、後述する固定部材４５によって押し上げられて、頂点部分がオーバーフローアダプター部材４２下面に当接し、止水用三角パッキン４３の側面の傾斜面に当接して内方に倒れ縮径することでオーバーフローアダプター部材４２下面及び排水栓３の筒状体３２外周を止水する。
排水部材４の固定部材４５は、内周に雌ねじを螺設した板ナットであって、その上部には止水用三角パッキン４３を配置する。固定部材４５の内周の雌ねじは、前記排水栓３の筒状体３２下端の雄ねじと螺合し、両者を螺合させると、固定部材４５の上方に配置された止水用三角パッキン４３が押し上げられ、上述のようにオーバーフローアダプター部材４２と排水栓３の止水を行う。
排水部材４の配管部材４６は、排水栓３の筒状体３２下端に接続される排水管であって、その下端には図示しないが排水トラップが接続される。排水トラップは周知のとおり、内部に封水を貯水することで、下水からの臭気や害虫を室内側へと逆流させないようにする部材である。尚、排水部材４内に流入した排水は、排水トラップを介して最終的には下水管へと排水される。
【００３０】
前記した排水栓の水抜き構造は以下のように施工される。
図１０に示すように、槽体１の排水口２の上方から排水栓３を差し込み、排水栓３の係止部３１を排水口周縁２１に構成した水抜き構造５としての凸部５１に係止させる。このとき、水抜き構造５である凸部５１が排水口の周縁２１上に載置されるので、排水口周縁２１の上面と排水栓３の係止部３１裏面の間には凸部５１によって隙間が構成される。
また、槽体１の裏面から止水用Ｕパッキン４１を介してオーバーフローアダプター部材４２を排水口２に差し込まれた排水栓３に差し込み、槽体１の裏面側排水口周縁２１に止水用Ｕパッキン４１を押し当てるようにオーバーフローアダプター部材４２を押し当てる。その後、止水用三角パッキン４３を排水栓３に差し込み、排水栓３の筒状体３２下端の雄ねじに固定部材４５を螺合させ、止水用三角パッキン４３を介してオーバーフローアダプター部材４２を水密的に槽体１に取り付ける。この作業により、結果的に排水栓３は排水口周縁２１とオーバーフローアダプター部材４２を介して係止部３１と固定部材４５が締め付け固定され、排水栓３、止水用Ｕパッキン４１、オーバーフローアダプター部材４２、止水用三角パッキン４３、固定部材４５は槽体１に強固且つ水密的に取り付けられる。
その後、排水栓３下端に配管部材４６を接続し、又、排水部材４は排水トラップを介して下水管へと接続され、本実施例の施工は完了する。
上記のように、係止部３１の下側の面と排水口周縁２１など、排水口周縁２１の上面から排水口２側面の水抜き構造５の部分には、止水を行うためのパッキンなどの水密部材は配置されていない。
【００３１】
本実施例の排水栓の水抜き構造は以下のような排水の流れとなる。
まず、弁体６が槽体１の排水口２に着座している状態から遠隔操作式排水栓装置の操作部７を操作すると、排水口２内の弁体６が上昇し、排水口２が開口し、開口が維持される。すると、槽体１内の排水は、排水口２に取り付けられた排水栓３を介し配管部材４６へと排出され、排水トラップを介して最終的には下水管へと排水される。なお、この排水が排出されている時、又は排水が終了した際に排水口周縁２１と排水栓３の係合部の裏面に流入した排水は、水抜き構造５である槽体１の排水口周縁２１に一体的に構成された凸部５１により形成された隙間から、排水口２を介して排水栓３又は配管部材４６へと合流することになる。このとき、凸部５１は排水口２の側面まで連続して構成されていることから、係合部裏面の排水は円滑に排水部材４側へと通水することができる。よって、排水口２の周囲、つまり排水栓３の係合部裏面付近に水が残ることがないので、排水栓３が長時間薬剤によって汚染された排水に晒されるようなことがないのでケミカルクラックが発生するようなことが無い。また水残りによる汚れなども防止でき、意匠性も向上した。
また、この状態から再度遠隔操作式排水栓装置の操作部７を操作すると、弁体６が下降し、槽体１の排水口２の落ちくぼんだ部分である傾斜面に着座し、弁体６のパッキン６１が槽体１の排水口２に当接する。そうすると、結果的に弁体６は排水栓３の係合部よりも上流部分で止水されるので、排水栓３の水抜き構造５から下流へと排水が漏れ出すようなことがない。
この動作の繰り返しにより、排水／貯水を行うことができる。
また、オーバーフロー配管４７から排水があった際は、洗面ボウルに別体で構成されたオーバーフロー配管４７からオーバーフローアダプター部材４２内に流入し、さらにはオーバーフローアダプター部材４２内の排水栓３の開口窓３３を介して排水栓３内に排水は流入し、配管部材４６を介して排水される。排水部材４内の排水は、排水トラップを介して最終的には下水管へと排水される。
【００３２】
本発明は前記した実施例のほか、特許請求の範囲を越えない範囲で適宜変更は可能である。
上記実施例では水抜き構造を、排水栓３の上下方向に亘る縦筋状のリブや溝で構成しているが、例えば図１２や図１３に示したように、凸部５１の形状を、排水栓３の係止部３１裏又は槽体１の排水口周縁２１付近に複数構成した球状や角形状のリブであったり、側面視三角形状とした形状のリブを用いたとしても、係止部３１の裏面に水抜き用の隙間を備えることができるので問題はない。
また、上記実施例では排水口周縁２１に凸部５１を一体的に構成しているが、例えば図１４に示すように、排水口周縁２１から排水口２側面まで構成した凹溝によって構成しても良い。
また、上記実施例では水抜き構造５を構成したアダプター５３に凸部５１を構成しているが、例えば図１５及び図１６に示すようにアダプター５３に凹部５２を構成しても良い。
また、上記実施例では水抜き構造５を排水栓３や槽体１の排水口周縁２１に構成したり、別部材としてアダプター５３に構成したりしているが、例えば図１７に示すように槽体１の排水口周縁２１に通水孔５４を構成しても良い。この場合においては、排水栓３の裏面を排水が通過せずとも排水口２の段押し部の水は槽体１の通水孔５４より排水部材４側へと流出できるようになるので、より排水栓３裏の清掃性が向上されるとともに、排水栓３が常時排水に晒されるようなこともない。
また、図１８に示すように、排水栓３に通水孔５４を開口して排水栓３の裏面の水を排水栓３内に流入させるようにしてもよい。
また、上記実施例では洗面台の洗面ボウルにて使用されているが、例えば浴槽の排水口２であったり、台所の流し台の排水口２に用いられる排水栓３の水抜き構造５としてもかまわない。
また、上記第１実施例では、オーバーフロー用の開口窓３３を介して通水するような水抜き構造５としているが、必ずしもオーバーフロー用の開口窓３３を採用する必要はなく、オーバーフロー配管４７のない排水部材４の排水栓３筒状体３２の側面などに水抜き構造５の専用の通水路を設けても良い。
また、水抜き構造５の凸部５１の始点は、排水栓３の係止部３１外側面から構成されていても良い。
排水口周縁２１側に凹部５２凸部５１が構成されている場合についても、始点は排水口周縁２１の内側面から開始されていてもよい。
【符号の説明】
【００３３】
１      槽体
２      排水口
２１    排水口周縁
３      排水栓
３１    係止部
３２    筒状体
３３    開口窓
４      排水部材
４１    止水用Ｕパッキン
４２    オーバーフローアダプター部材
４３    止水用三角パッキン
４４    止水用平パッキン
４５    固定部材
４６    配管部材
４７    オーバーフロー配管
５      水抜き構造
５１    凸部
５２    凹部
５３    アダプター
５３３  リング部
５４    通水孔
６      弁体
６１  （弁体の）パッキン
７      操作部
【図１】
2015113556.tif 000003
【図２】
2015113556.tif 000004
【図３】
2015113556.tif 000005
【図４】
2015113556.tif 000006
【図５】
2015113556.tif 000007
【図６】
2015113556.tif 000008
【図７】
2015113556.tif 000009
【図８】
2015113556.tif 000010
【図９】
2015113556.tif 000011
【図１０】
2015113556.tif 000012
【図１１】
2015113556.tif 000013
【図１２】
2015113556.tif 000014
【図１３】
2015113556.tif 000015
【図１４】
2015113556.tif 000016
【図１５】
2015113556.tif 000017
【図１６】
2015113556.tif 000018
【図１７】
2015113556.tif 000019
【図１８】
2015113556.tif 000020
【図１９】
2015113556.tif 000021
【図２０】
2015113556.tif 000022
【図２１】
2015113556.tif 000023